(57)【要約】【課題】測定対象物に応じた放射率を容易に設定することができる使い勝手の良い放射温度計を提供する。【解決手段】放射温度計の表示部４に、測定温度を表示する液晶画面７と、記憶装置に記憶した放射率「０．９８」、「０．９２」、「０．８５」に対応する測定対象物を表す絵記号Ａ、Ｂ、Ｃと、それら絵記号Ａ〜Ｃの中から放射率選択キー５で選択された放射率に対応する測定対象物の絵記号を指し示す指標１５とが設けられている。【選択図】図１
0003122882.tif 000002
【実用新案登録請求の範囲】
【請求項１】
測定対象物に応じた放射率を選択する手段を有した放射温度計において、測定対象物に応じた放射率を複数記憶した記憶装置と、該記憶装置から放射率選択キーで選択された放射率を読み出して、その放射率と測定対象物から放射される赤外線のエネルギー量に基づいて測定温度を算出する演算装置とが設けられた制御部を有すると共に、前記演算装置で算出した測定温度を表示する液晶画面と、前記記憶装置に記憶された放射率に対応する測定対象物を絵や記号で表す複数の絵記号と、前記放射率選択キーで選択された放射率に対応する測定対象物の絵記号を指し示す指標とが設けられた表示部を有することを特徴とする放射温度計。
【請求項２】
前記複数の絵記号が、前記液晶画面の外側に沿って一定の間隔で並ぶように表示され、前記指標が、前記液晶画面に表示されて前記放射率選択キーにより該キーで選択された放射率に対応する測定対象物の絵記号を指し示す位置に移動せられるカーソルで成る請求項２記載の放射温度計。
【請求項３】
前記複数の絵記号が、肉や魚等の食品を表す絵記号と、紙パックを表す絵記号と、フライパンを表す絵記号とで成り、前記指標が、▼記号のカーソルで成る請求項２記載の放射温度計。
【考案の詳細な説明】
【技術分野】
【０００１】
本考案は、測定対象物から放射される赤外線のエネルギー量を検出してその測定対象物の温度を測定する放射温度計に関する。
【背景技術】
【０００２】
放射温度計は、赤外線センサで検出した赤外線のエネルギー量と放射率とに基づいて測定温度を算出するが、その放射率（ε）の設定値が、例えばε＝０．９５に固定されているものと、測定対象物に応じて例えばε＝０．１０〜１．００の範囲で０．０１ステップずつ任意に可変できるものとがある。
【０００３】
放射率は、測定対象物の材質や表面状態などによって著しく異なるので、正確な温度を測定するためには、測定対象物に応じた放射率を設定できる放射温度計を使用することが望ましいが、放射率の値をキー入力して設定する放射温度計を使用する場合は、測定対象となる各種物体の放射率を予め暗記しておくか、あるいは各種物体とその放射率とが記載された対照表（放射率表）を携行しなければならないという面倒があった。
【０００４】
この面倒を解消するために、各種物体の放射率に関するデータを記憶装置に記憶させて、そのデータ中から測定対象となる物体の放射率を選択して設定する手段を有した放射温度計が提案されているが（特許文献１参照）、例えば、給食施設や弁当・惣菜の製造施設において専ら食品の保蔵温度や調理温度を測定するために使用される放射温度計の記憶装置に、一般の放射率表に記載されている各種金属や、アスファルト、コンクリート、セメント、砂、粘土、れんが、石こう、陶器、ガラス、ゴム、木、紙、プラスチック、水、氷、雪、皮膚等の多種多様な物体の放射率に関するデータが記憶されていると、不必要なデータが多すぎて、測定対象となる物体の放射率を検索して選択する操作が非常に煩わしいものとなり、測定対象物の温度を速やかに測定することができない。
【特許文献１】特願平７−３２４９８１号公報
【０００５】
また、給食施設や弁当・惣菜の製造施設で働く従業者の多くは、放射温度計の原理や放射率に関する知識を有していないために、例えば冷蔵庫に保蔵された「紙パック入り牛乳」の温度を測定する際に、上記データ中から「紙」の放射率を選択すべきか、それとも「水」の放射率を選択すべきか判断できなかったり、その判断を誤るおそれがある。
【考案の開示】
【考案が解決しようとする課題】
【０００６】
本考案は、例えば給食施設や弁当・惣菜の製造施設で食品の温度管理に使用される放射温度計のように特定の業務分野で使用される放射温度計を測定対象物に応じた放射率を容易に設定することができる使い勝手の良いものに改良することを技術的課題としている。
【課題を解決するための手段】
【０００７】
上記課題を解決するために、本考案は、測定対象物に応じた放射率を選択する手段を有した放射温度計において、測定対象物に応じた放射率を複数記憶した記憶装置と、該記憶装置から放射率選択キーで選択された放射率を読み出して、その放射率と測定対象物から放射される赤外線のエネルギー量に基づいて測定温度を算出する演算装置とが設けられた制御部を有すると共に、前記演算装置で算出した測定温度を表示する液晶画面と、前記記憶装置に記憶された放射率に対応する測定対象物を絵や記号で表す複数の絵記号と、前記放射率選択キーで選択された放射率に対応する測定対象物の絵記号を指し示す指標とが設けられた表示部を有することを特徴とする。
【考案の効果】
【０００８】
本考案によれば、測定対象物の放射率を知らなくとも、また、放射率表を携行していなくとも、放射温度計の表示部に設けられた測定対象物の絵記号と、その絵記号を指し示す指標とを参酌して、測定対象物に応じた放射率を迅速且つ確実に選択することができる。
【考案を実施するための最良の形態】
【０００９】
本考案に係る放射温度計の最良の実施形態は、測定対象物に応じた放射率を複数記憶した記憶装置と、該記憶装置から放射率選択キーで選択された放射率を読み出して、その放射率と測定対象物から放射される赤外線のエネルギー量に基づいて測定温度を算出する演算装置とが設けられた制御部を有すると共に、演算装置で算出した測定温度を表示する液晶画面と、記憶装置に記憶された放射率に対応する測定対象物を絵や記号で表す複数の絵記号と、放射率選択キーで選択された放射率に対応する測定対象物の絵記号を指し示す指標とが設けられた表示部を有している。
【００１０】
表示部に設ける複数の絵記号は、演算装置で算出した測定温度を表示する液晶画面の外側に沿って一定の間隔で並ぶように表示され、それら絵記号の中から放射率選択キーで選択された放射率に対応する測定対象物の絵記号を指し示す指標が、液晶画面に表示された▼記号のカーソルで成り、該カーソルが放射率選択キーの操作によって該キーで選択された放射率に対応する測定対象物の絵記号を指し示す位置に移動せられるようになっている。
【実施例】
【００１１】
図１は本考案に係る放射温度計の一例を示す外観図、図２はその放射温度計の表示部を示す拡大図、図３はその放射温度計の構成を示すブロック図である。
【００１２】
本例の放射温度計は、給食施設や弁当・惣菜の製造施設、飲食店等において食品の保蔵温度や調理温度を測定する用途に好適な非接触型放射温度計であって、プラスチックで成形されたガンタイプのハウジング１に、そのハウジング１のグリップ部２を握り持つ片手の人差し指で操作するトリガースイッチ３と、親指で操作する放射率選択キー５とレーザマーカＯＮ／ＯＦＦキー６が装備されると共に、これら両キー５及び６と測定温度を表示する液晶画面７とを配した表示部４が設けられている。
【００１３】
また、ハウジング１の内部には、測定対象物に照準を合わせるためのレーザ光を照射するレーザマーカ装置８と、測定対象物から放射される赤外線をレンズもしくはミラーで集光する光学系９と、その赤外線を検出する赤外線センサ１０と、該センサ１０から出力される赤外線検出信号をアナログ信号からデジタル信号に変換するＡＤ変換器１１と、マイクロコンピュータで成る制御部１２とが設けられている。
【００１４】
制御部１２は、測定対象物に応じた放射率を複数記憶した記憶装置１３と、トリガースイッチ３がＯＮされたときに記憶装置１３から放射率選択キー５で選択された放射率を読み出して、その放射率と赤外線センサ１０で検出された赤外線のエネルギー量とに基づいて測定温度を算出し、その算出した測定温度を液晶画面７に表示する演算装置１４とが設けられている。
【００１５】
表示部４には、液晶画面７の外側下方に沿って一定の間隔で横一列に並ぶように、測定対象物となる魚や肉等の食品を表す絵記号Ａと、紙パックを表す絵記号Ｂと、フライパンを表す絵記号Ｃとが印刷表示されると共に、これら絵記号Ａ、Ｂ、Ｃの夫々に、肉や魚、野菜、果物等の放射率「０．９８」、紙類や紙パックの放射率「０．９２」、フライパンや鉄板の放射率「０．８５」を表示する数字が付されている。
【００１６】
そして、記憶装置１３に、放射率「０．９８」、「０．９２」及び「０．８５」が記憶され、それらの中から放射率選択キー５で選択された放射率が演算装置１４で読み出されるようになっている。また、演算装置１４は、放射温度計の電源がＯＮされたときに、放射率選択キー５で選択された放射率に対応する測定対象物の絵記号Ａ、Ｂ又はＣを指し示す指標１５となる▼記号で成るカーソルを液晶画面７に表示すると共に、その▼カーソルを放射率選択キー５で選択された放射率に対応する測定対象物の絵記号Ａ、Ｂ又はＣを指し示す位置に移動させるようになっている。
【００１７】
すなわち、放射率選択キー５は、指標１５となる▼カーソルを絵記号Ａ、Ｂ又はＣを指し示す位置に移動させるカーソル移動キーを兼ねており、該キー５を押すごとに、▼カーソルが各絵記号Ａ、Ｂ、Ｃを順繰りに指し示す位置に移動すると同時に、▼カーソルが指し示す絵記号で表された測定対象物に対応する放射率が記憶装置１３から選択されるようになっている。なお、放射率選択キー５には、▼カーソルを移動させて測定対象物を表す絵記号Ａ、Ｂ、Ｃを選択するキーであることを明示するために「測定物選択」の文字が付されている。
【００１８】
以上が、本例に示す放射温度計の構成であり、次にその動作について説明する。
放射温度計の電源をＯＮすると、液晶画面７に▼カーソルで成る指標１５が表示されて、その指標１５が、液晶画面７の外側に設けられている例えば魚や肉等の食品を表す絵記号Ａを指し示す。
【００１９】
これにより、記憶装置１３に記憶した複数の放射率の中から放射率選択キー５で食品の放射率「０．９８」を選択した状態となり、この状態でトリガースイッチ３をＯＮすると、演算装置１４が、記憶装置１３から放射率「０．９８」を読み出して、その放射率と赤外線センサ１０で検出された赤外線のエネルギー量に基づいて測定温度を算出すると共に、算出した測定温度を液晶画面７に表示する。
【００２０】
また、測定対象物が食品ではなく、紙パック入りの牛乳やジュース、スープ等である場合は、放射率選択キー５を押して、▼カーソルで成る指標１５を絵記号Ａを指し示す位置から紙パックを表す絵記号Ｂを指し示す位置へ移動させる。これにより、放射率選択キー５で紙類や紙パックの放射率「０．９２」が選択された状態となり、この状態でトリガースイッチ３をＯＮすると、演算装置１４が、記憶装置１３から放射率「０．９２」を読み出して、その放射率に基づいて測定温度を算出する。
【００２１】
また、食品を調理するフライパンや鉄板の温度を測定する場合は、放射率選択キー５を押して、▼カーソルで成る指標１５をフライパンを表す絵記号Ｃを指し示す位置に移動させる。これにより、放射率選択キー５でフライパンや鉄板の放射率「０．８５」が選択された状態となり、この状態でトリガースイッチ３をＯＮすると、演算装置１４が、記憶装置１３から放射率「０．８５」を読み出して、その放射率に基づいて測定温度を算出すると共に、算出した測定温度を液晶画面７に表示する。
【００２２】
以上のように、本例の放射温度計は、放射率選択キー５を押して、▼カーソルで成る指標１５を測定対象物を表す絵記号Ａ、Ｂ又はＣを指し示す位置に移動させるだけの簡単な操作によって測定対象物に応じた放射率を設定することができるから、放射温度計の原理や放射率に関する知識を有していない者でも、測定対象物の正確な温度を速やかに測定することができる。
【００２３】
また、給食施設や弁当・惣菜の製造施設等で食品の温度管理に使用する放射温度計は、食中毒を防止するために食品や紙パック入り牛乳等の保蔵温度を測定したり、食品を適正な温度で調理するためにフライパンや鉄板等の加熱温度を測定するのが主であり、しかも、食品の放射率は、魚や肉、野菜、果物、パン等の種類を問わず、概ね「０．９８」前後であるから、実施例の如く、表示部４には、肉や魚等の食品を表す絵記号Ａ、紙パックを表す絵記号Ｂ、フライパンを表す絵記号Ｃを設け、それら絵記号Ａ、Ｂ、Ｃで表した測定対象物に対応する放射率「０．９８」、「０．９２」、「０．８５」を記憶装置１３に記憶すれば足りる。
【００２４】
なお、実施例では、絵記号Ａ〜Ｃが液晶画面７の外側に表示されているが、本考案は、これに限らず、絵記号Ａ〜Ｃを表す画像データを記憶装置１３に記憶させ、それら絵記号Ａ〜Ｃの画像データを演算装置１４で読み出して液晶画面７に表示し、その中から測定対象物の絵記号を表すものを指標となるカーソルで選択するようにしてもよい。
【産業上の利用可能性】
【００２５】
本考案は、放射温度計の原理や放射率に関する知識を有しない者でも、測定対象物に応じた放射率を容易に設定することができる放射温度計を提供するものである。
【図面の簡単な説明】
【００２６】
【図１】本考案に係る放射温度計の一例を示す外観図
【図２】図１の放射温度計の表示部を示す拡大図
【図３】図１の放射温度計の構成を示すブロック図
【符号の説明】
【００２７】
４    表示部
５    放射率選択キー
７    液晶画面
１０    赤外線センサ
１２    制御部
１３    記憶装置
１４    演算装置
１５    指標
Ａ〜Ｃ  絵記号
【図３】
0003122882.tif 000003
【図１】
0003122882.tif 000004
【図２】
0003122882.tif 000005
【手続補正書】
【提出日】平成18年4月18日(2006.4.18)
【手続補正１】
【補正対象書類名】実用新案登録請求の範囲
【補正対象項目名】請求項２
【補正方法】変更
【補正の内容】
【請求項２】
前記複数の絵記号が、前記液晶画面の外側に沿って一定の間隔で並ぶように表示され、前記指標が、前記液晶画面に表示されて前記放射率選択キーにより該キーで選択された放射率に対応する測定対象物の絵記号を指し示す位置に移動せられるカーソルで成る請求項１記載の放射温度計。